(57)【要約】【課題】  充填部材がコネクタ部へ這い上がることを防止する回転検出装置を提供する。【解決手段】  検出部２を備えた中ケース４と、中ケース４に設けられた複数のリード端子４ｂ１と、中ケース４が挿入される収納空間５ｃを備えた有底の外ケース５と、収納空間５ｃの中ケース４挿入方向に対し直交方向に屈曲するとともに中ケース４に一体に形成されたコネクタ部４ｃと、収納空間５ｃを気密的に封止する充填部材６とを備えた回転検出装置１において、収納空間５ｃの開口５ａに中ケース４の挿入方向に対して底部５ｂ側に切り欠いた切り欠き部５ｇを設けたものである。【選択図】  図２
2011053011.tif 000002
【特許請求の範囲】
【請求項１】
検出部を備えた中ケースと、前記中ケースに設けられた複数のリード端子と、前記中ケースが挿入される収納空間を備えた有底の外ケースと、前記収納空間の前記中ケース挿入方向に対し直交方向に屈曲するとともに前記中ケースに一体に形成されたコネクタ部と、前記収納空間を気密的に封止する充填部材とを備えた回転検出装置において、
前記収納空間の開口に前記中ケースの挿入方向に対して前記底側に切り欠いた切り欠き部を設けたことを特徴とする回転検出装置。
【請求項２】
前記外ケースの内壁に前記充填部材の充填量を定める規定部を設け、この規定部が、前記切り欠き部の前記中ケースの挿入方向に対して最も前記底側の端部と前記中ケースの挿入方向に対して垂直方向に同一の高さとしたことを特徴とする請求項１に記載の回転検出装置。
【発明の詳細な説明】
【技術分野】
【０００１】
本発明は、歯車等の被検出体の回転を検出する回転検出装置に関するものである。
【背景技術】
【０００２】
従来の回転検出装置は、磁石と磁気検出手段とを備えた中ケースと、前記中ケースに設けられた複数のリード端子と、前記中ケースが挿入される収納空間を備えた有底の外ケースと、前記中ケースに一体に形成されたコネクタ部と、前記収納空間を気密的に封止する充填部材とを備えたものであった（特許文献１参照）。
【先行技術文献】
【特許文献】
【０００３】
【特許文献１】特開２００５−１００５６号公報
【発明の概要】
【発明が解決しようとする課題】
【０００４】
この回転検出装置は、エンジンやトランスミッションなどへの取り付けるために、前記コネクタ部を前記収納空間の前記中ケース挿入方向に対し直交方向に屈曲させる必要があった。
【０００５】
このような回転検出装置においては、前記充填部材を前記収納空間内に充填すると、前記充填部材が前記コネクタ部まで這い上がって前記コネクタ部に付着し、前記コネクタ部に図示しない外部機器のコネクタ部を装着できないという問題点が発生することがあった。特に、小型化を図った回転検出装置においては、前記収納空間の開口と前記コネクタ部とが近接し、前記充填部材が、前記コネクタ部に這い上がりやすく、前記コネクタ部に前記充填部材が付着しやすいものであった。
【０００６】
そこで本発明は、前述した問題点に着目し、充填部材がコネクタ部へ這い上がることを防止する回転検出装置を提供するものである。
【課題を解決するための手段】
【０００７】
本発明は、前記課題を解決するため、請求項１に記載した回転検出装置のように、検出部を備えた中ケースと、前記中ケースに設けられた複数のリード端子と、前記中ケースが挿入される収納空間を備えた有底の外ケースと、前記収納空間の前記中ケース挿入方向に対し直交方向に屈曲するとともに前記中ケースに一体に形成されたコネクタ部と、前記収納空間を気密的に封止する充填部材とを備えた回転検出装置において、前記収納空間の開口に前記中ケースの挿入方向に対して前記底側に切り欠いた切り欠き部を設けたものである。
【０００８】
また、請求項２に記載した本発明は、請求項１に記載の回転検出装置において、前記外ケースの内壁に前記充填部材の充填量を定める規定部を設け、この規定部が、前記切り欠き部の前記中ケースの挿入方向に対して最も前記底側の端部と前記中ケースの挿入方向に対して垂直方向に同一の高さとしたものである。
【発明の効果】
【０００９】
本発明は、充填部材がコネクタ部へ這い上がることを防止する回転検出装置を提供することができる。
【図面の簡単な説明】
【００１０】
【図１】本発明の第１の実施形態の回転検出装置の側面図。
【図２】図１中Ａ−Ａ線の断面図。
【図３】図２中Ｂ−Ｂ線のアウターハウジングの断面図。
【発明を実施するための形態】
【００１１】
以下、添付図面に基づいて本発明の実施形態を説明する。
【００１２】
第１の実施形態における回転検出装置を図１から図３を用いて説明する。本発明の第１の実施形態における回転検出装置１は、検出部２と、回路基板３と、中ケース４と、外ケース５と、充填部材６とから主に構成される。
【００１３】
検出部２は、磁石２ａと、磁気検出手段２ｂとから構成されるものである。磁石２ａは、円柱状あるいは角柱状をなし、磁気検出手段２ｂと当接している。磁気検出手段２ｂは、ホールＩＣや磁気抵抗素子（ＭＲ素子）等からなるものであり、歯車や専用ロータ等の磁性材料からなる被検出体の回転に伴う磁力の変化（磁石２ａが発する磁力の変化）を検出するもので、磁石２ａに熱硬化型接着剤を介して配設される。
【００１４】
回路基板３は、ガラス繊維入りエポキシ樹脂材やセラミック等の絶縁基板に所定の配線パターンが形成されてなる硬質回路基板からなり、磁気検出手段２ｂのノイズ吸収用コンデンサや信号増幅回路等の各種電子部品（図示しない）が実装されている。回路基板３の一端側は、略Ｌ字状に折り曲げ形成された磁気検出手段２ｂのリード２ｂ１が半田等を介して電気的に接続され、また他端側は、後述するリード端子が半田等を介して電気的に接続されている。従って、磁気検出手段２ｂにより検出された検出信号は、回路基板３から前記リード端子に伝わり外部に出力されることになる。
【００１５】
中ケース４は、ＳＰＳ，ＰＢＴ及びＰＰＳ等の合成樹脂材料から構成され、図２で示すように、ヘッド部４ａと、ボディ部４ｂと、コネクタ部４ｃとを一体に備えている。
【００１６】
ヘッド部４ａには、磁石２ａを埋設するための凹部４ａ１と、回路基板３を配設するための載置部４ａ２とが形成され、載置部４ａ２は、凹部４ａ１の底面と略直交する位置関係をなしている。回路基板３は、載置部４ａ２に熱硬化型接着剤を介して配設固定され、また、磁石２ａは、凹部４ａ１に熱硬化型接着剤を介して配設固定される。
【００１７】
ボディ部４ｂには、導電性材料から形成されるリード端子４ｂ１がインサート成形されている。リード端子４ｂ１は、その両端部が略Ｌ字状に折り曲げ形成され、一端が回路基板３と電気的に接続され、また他端がコネクタ部４ｃへ引き出し案内されている。
【００１８】
コネクタ部４ｃは、雌型コネクタ構造をなし、ボディ部４ｂに対して垂直方向に折り曲げ形成されおり、中ケース４を外ケース５の後述する収納空間に挿入する方向に対し直交方向に屈曲している。図示しない雄型コネクタがリード端子４ｂ１の前記他端に接続可能な形状をなしている。
【００１９】
外ケース５は、中ケース４と同様な合成樹脂材料を適用することができ、断面形状が略コの字状をなし、一端に開口５ａを備え、他端に底部５ｂする円筒のカップ形状からなり、検出部２，回路基板３及び中ケース４を収納する収納空間５ｃを有する。外ケース５は、磁気検出手段２ｂの磁石２ａとの非接触面である磁気検出面に当接する底部５ｂが、側壁部５ｄに比べて薄肉になるように形成され、この底部５ｂは、回転検出装置１の検出面となる。また、外ケース５は、その側壁部５ｄに被取付体に取り付けるための取付部５ｅを有し、その取付部５ｅには金属材料からなるリング状の補強部材５ｆがインサート成形されている。
【００２０】
また、外ケース５は、開口５ａに中ケース４の挿入方向に対して底部５ｂ側に切り欠いた切り欠き部５ｇを備えている。外ケース５は、開口５ａに切り欠き部５ｇを設けたことによって、開口５ａに切り欠き部５ｇを設けた部分は、中ケース４の挿入方向に対して、外ケース５の底部５ｂ側に一段低くなっている。
【００２１】
また、外ケース５の開口５ａ近傍の側壁部５ｄの内壁に充填部材６の充填量を定める規定部５ｈを備えている。この規定部５ｈは、切り欠き部５ｇの中ケース４の挿入方向に対して最も底部５ｂ側の端部と中ケース４の挿入方向に対して垂直方向に同一の高さとなっている。
【００２２】
充填部材６は、エポキシ樹脂やシリコーン樹脂が適用でき、中ケース４を挿入した外ケース５の収納空間５ｃに充填され、収納空間５ｃを気密的に封止するものである。充填部材６は、中ケース４と外ケース５とを組み付けた状態で、底部５ｂ側から注入され、少なくとも検出部２，回路基板３及び中ケース４におけるリード端子４ｂ１が露出している部分が埋まる位置まで注入される。
【００２３】
以上の各部によって回転検出装置１が構成されている。開口５ａに切り欠き部５ｇを設けたことによって、充填部材６とコネクタ部４ｃとを離すことができ、充填部材６を外ケース５の収納空間５ｃ内に充填したときに、充填部材６がコネクタ部４ｃに這い上がることを防止でき、コネクタ部４ｃに充填部材６が付着することを防止できる。
【００２４】
また、外ケース５の開口５ａ近傍の側壁部５ｄの内壁に充填部材６の充填量を定める規定部５ｈを備えたことによって、充填部材６を規定部５ｈの高さまで充填することができ、収納空間５ｃ内への充填部材６の充填量の不足による不完全な気密を防止することができ、また、収納空間５ｃ内に水などの液体が、とどまることを防止することができる。充填部材６の充填量が、外ケース５に設けた規定部５ｈに達するものであれば、水などの液体は、切り欠き部５ｇから流れ出て、収納空間５ｃ内に液体がとどまることを防止できる。
【産業上の利用可能性】
【００２５】
本発明は、外ケース内に検出部を備えた中ケースを挿入し、外ケースの収納空間に充填部材を充填する回転検出装置に利用可能である。
【符号の説明】
【００２６】
１      回転検出装置
２      検出部
２ａ    磁石（検出部）
２ｂ    磁気検出手段（検出部）
４      中ケース
４ｂ１  リード端子
４ｃ    コネクタ部
５    外ケース
５ａ  開口
５ｂ  底部
５ｃ  収納空間
５ｇ  切り欠き部
５ｈ  規定部
６    充填部材
【図１】
2011053011.tif 000003
【図２】
2011053011.tif 000004
【図３】
2011053011.tif 000005